(57)【要約】【課題】本発明は、移動通信システムで制御情報を通信することに関するもので、アップリンクチャネルをスケジューリングするための移動端末の前記制御情報をより少ない電力でより速くネットワークに通知することができる。【解決手段】本発明は、第１物理チャネル上に制御情報を含むデータブロックを伝送する段階と、前記第１物理チャネル上の前記制御情報の前記伝送を指示するための特定の値を有する指示子を第２物理チャネル上に伝送する段階と、を含んで制御情報通信方法を構成する。【選択図】図７
2008541547.tif 000002
【特許請求の範囲】
【請求項１】
移動通信システムで制御情報を通信する方法において、
第１物理チャネル上に制御情報を含むデータブロックを伝送する段階と；
前記第１物理チャネル上の前記制御情報の前記伝送を指示するための特定の値を有する指示子を第２物理チャネル上に伝送する段階と；を含む制御情報通信方法。
【請求項２】
前記指示子は、前記第１物理チャネル上に伝送される前記データブロックと関連することを特徴とする請求項１に記載の制御情報通信方法。
【請求項３】
前記指示子は、前記第１物理チャネル上の前記データブロックの大きさを指示することを特徴とする請求項２に記載の制御情報通信方法。
【請求項４】
前記指示子は、強化された伝送フォーマット組合せ指示子（ｅｎｈａｎｃｅｄ  ｔｒａｎｓｍｉｔ  ｆｏｒｍａｔ  ｃｏｍｂｉｎａｔｉｏｎ  ｉｎｄｉｃａｔｏｒ；Ｅ―ＴＦＣＩ）であることを特徴とする請求項１に記載の制御情報通信方法。
【請求項５】
前記特定の値は、０と同じＥ―ＴＦＣＩインデックスを含むことを特徴とする請求項４に記載の制御情報通信方法。
【請求項６】
前記第１物理チャネルは、強化された専用物理データチャネル（ｅｎｈａｎｃｅｄ  ｄｅｄｉｃａｔｅｄ  ｐｈｙｓｉｃａｌ  ｄａｔａ  ｃｈａｎｎｅｌ；Ｅ―ＤＰＤＣＨ）であることを特徴とする請求項１に記載の制御情報通信方法。
【請求項７】
前記第２物理チャネルは、強化された専用物理制御チャネル（ｅｎｈａｎｃｅｄ  ｄｅｄｉｃａｔｅｄ  ｐｈｙｓｉｃａｌ  ｃｏｎｔｒｏｌ  ｃｈａｎｎｅｌ；Ｅ―ＤＰＣＣＨ）であることを特徴とする請求項１に記載の制御情報通信方法。
【請求項８】
前記データブロックは、ＭＡＣ―ｅ  ＰＤＵであることを特徴とする請求項１に記載の制御情報通信方法。
【請求項９】
前記制御情報は、スケジューリング情報を含むことを特徴とする請求項１に記載の制御情報通信方法。
【請求項１０】
前記スケジューリング情報は、
最優先論理チャネル識別子；
総Ｅ―ＤＣＨバッファ状態；
最優先論理チャネルバッファ状態；及び
移動端末電力ヘッドルームのうち一つ以上を含むことを特徴とする請求項９に記載の制御情報通信方法。
【請求項１１】
前記データブロックは、前記制御情報のみを含むことを特徴とする請求項１に記載の制御情報通信方法。
【請求項１２】
移動通信システムで制御情報を通信するための移動端末において、
伝送される制御情報を処理し、データブロックを生成するための処理器と；
第１物理チャネル上に前記制御情報を含む前記データブロックを伝送するための前記処理器によって制御される伝送機と；を含み、
前記伝送機は、前記第１物理チャネル上の前記制御情報の前記伝送を指示するための第２物理チャネル上に特定の値を有する指示子を伝送することを特徴とする移動端末。
【請求項１３】
前記指示子は、前記第１物理チャネル上で伝送される前記データブロックと関連することを特徴とする請求項１２に記載の移動端末。
【請求項１４】
前記指示子は、前記第１物理チャネル上の前記データブロックの大きさを指示することを特徴とする請求項１３に記載の移動端末。
【請求項１５】
前記指示子は、強化された伝送フォーマット組合せ指示子（Ｅ―ＴＦＣＩ）であることを特徴とする請求項１２に記載の移動端末。
【請求項１６】
前記特定の値は、０と同じＥ―ＴＦＣＩインデックスを含むことを特徴とする請求項１５に記載の移動端末。
【請求項１７】
前記第１物理チャネルは、強化された専用物理データチャネル（Ｅ―ＤＰＤＣＨ）であることを特徴とする請求項１２に記載の移動端末。
【請求項１８】
前記第２物理チャネルは、強化された専用物理制御チャネル（Ｅ―ＤＰＣＣＨ）であることを特徴とする請求項１２に記載の移動端末。
【請求項１９】
前記データブロックは、ＭＡＣ―ｅ  ＰＤＵであることを特徴とする請求項１２に記載の移動端末。
【請求項２０】
前記制御情報は、スケジューリング情報を含むことを特徴とする請求項１２に記載の移動端末。
【請求項２１】
前記スケジューリング情報は、
最優先論理チャネル識別子；
総Ｅ―ＤＣＨバッファ状態；
最優先論理チャネルバッファ状態；及び
移動端末電力ヘッドルームのうち一つ以上を含むことを特徴とする請求項２０に記載の移動端末。
【請求項２２】
前記データブロックは、前記制御情報のみを含むことを特徴とする請求項１２に記載の移動端末。
【請求項２３】
移動通信システムで制御情報を通信する方法において、
特定のイベントが発生したかどうかを決定する段階と；
前記特定のイベントが発生していないと決定された場合、物理チャネル上に伝送されたデータブロックの大きさを指示する指示子を伝送する段階と；
前記特定のイベントが発生したと決定される場合、前記特定のイベントを指示するための特定の値を有する前記指示子を伝送する段階と；を含む制御情報通信方法。
【請求項２４】
前記特定のイベントは、前記データブロックが制御情報のみを含むときに発生することを特徴とする請求項２３に記載の制御情報通信方法。
【請求項２５】
前記特定のイベントは、伝送されるデータが上位階層から受信され、前記データの前記伝送のための資源が利用不可能であるときに発生することを特徴とする請求項２３に記載の制御情報通信方法。
【請求項２６】
前記指示子は、前記データブロックが伝送される前記物理チャネルとは異なる物理チャネル上に伝送されることを特徴とする請求項２３に記載の制御情報通信方法。
【請求項２７】
前記指示子は、強化されたデータ物理制御チャネル（Ｅ―ＤＰＣＣＨ）を通して伝送されることを特徴とする請求項２６に記載の制御情報通信方法。
【請求項２８】
前記指示子は、強化された伝送フォーマット組合せ指示子（Ｅ―ＴＦＣＩ）であることを特徴とする請求項２３に記載の制御情報通信方法。
【請求項２９】
前記特定の値は、０と同じＥ―ＴＦＣＩインデックスを含むことを特徴とする請求項２８に記載の制御情報通信方法。
【請求項３０】
前記データブロックは、強化された専用物理データチャネル（Ｅ―ＤＰＤＣＨ）上に伝送されることを特徴とする請求項２３に記載の制御情報通信方法。
【請求項３１】
前記データブロックは、ＭＡＣ―ｅ  ＰＤＵであることを特徴とする請求項２３に記載の制御情報通信方法。
【請求項３２】
前記制御情報は、スケジューリング情報を含むことを特徴とする請求項２３に記載の制御情報通信方法。
【請求項３３】
前記スケジューリング情報は、
最優先論理チャネル識別子；
総Ｅ―ＤＣＨバッファ状態；
最優先論理チャネルバッファ状態；及び
移動端末電力ヘッドルームのうち一つ以上を含むことを特徴とする請求項３２に記載の制御情報通信方法。
【請求項３４】
移動通信システムで制御情報を通信するための移動端末において、
特定のイベントが発生したかどうかを決定し、データブロックを生成するための処理器と；
前記特定のイベントが発生していないと決定される場合、物理チャネル上に伝送される前記データブロックの大きさを指示するための指示子を伝送するための前記処理器によって制御される伝送機と；を含み、
前記伝送機は、前記特定のイベントが発生したと決定される場合、前記特定のイベントを指示するための特定の値と一緒に前記指示子を伝送することを特徴とする移動端末。
【請求項３５】
前記特定のイベントは、前記データブロックが制御情報のみを含むときに発生することを特徴とする請求項３４に記載の移動端末。
【請求項３６】
前記特定のイベントは、伝送されるデータを前記処理器が上位階層から受信し、前記データの前記伝送のための資源が利用不可能であるときに発生することを特徴とする請求項３４に記載の移動端末。
【請求項３７】
前記指示子は、前記データブロックが伝送される前記物理チャネルとは異なる物理チャネル上に伝送されることを特徴とする請求項３４に記載の移動端末。
【請求項３８】
前記指示子は、強化されたデータ物理制御チャネル（Ｅ―ＤＰＣＣＨ）を通して伝送されることを特徴とする請求項３７に記載の移動端末。
【請求項３９】
前記指示子は、強化された伝送フォーマット組合せ指示子（Ｅ―ＴＦＣＩ）であることを特徴とする請求項３４に記載の移動端末。
【請求項４０】
前記特定の値は、０と同じＥ―ＴＦＣＩインデックスを含むことを特徴とする請求項３９に記載の移動端末。
【請求項４１】
前記データブロックは、強化された専用物理データチャネル（Ｅ―ＤＰＤＣＨ）上に伝送されることを特徴とする請求項３４に記載の移動端末。
【請求項４２】
前記データブロックは、ＭＡＣ―ｅ  ＰＤＵであることを特徴とする請求項３４に記載の移動端末。
【請求項４３】
前記制御情報は、スケジューリング情報を含むことを特徴とする請求項３４に記載の移動端末。
【請求項４４】
前記スケジューリング情報は、
最優先論理チャネル識別子；
総Ｅ―ＤＣＨバッファ状態；
最優先論理チャネルバッファ状態；及び
移動端末電力ヘッドルームのうち一つ以上を含むことを特徴とする請求項４３に記載の移動端末。
【発明の詳細な説明】
【技術分野】
【０００１】
本発明は、移動通信システムで制御情報を通信することに関するもので、アップリンクチャネルをスケジューリングするための移動端末の前記制御情報をより少ない電力でより速くネットワークに通知することができる。
【背景技術】
【０００２】
図１は、３ＧＰＰ非同期ＩＭＴ―２０００システムの汎用移動通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ；以下、ＵＭＴＳと略称する。）のネットワーク構造を示した図である。図１を参照すると、ＵＭＴＳは、主に、使用者装置（ｕｓｅｒ  ｅｑｕｉｐｍｅｎｔ；以下、ＵＥと略称する。）、ＵＭＴＳ地上無線接続ネットワーク（ＵＭＴＳ  ｔｅｒｒｅｓｔｒｉａｌ  ｒａｄｉｏ  ａｃｃｅｓｓ  ｎｅｔｗｏｒｋ；以下、ＵＴＲＡＮと略称する。）、及び核心網（ｃｏｒｅ  ｎｅｔｗｏｒｋ；ＣＮ）を含む。
【０００３】
ＵＴＲＡＮは、一つ以上の無線ネットワークサブシステム（ｒａｄｉｏ  ｎｅｔｗｏｒｋ  ｓｕｂ―ｓｙｓｔｅｍ；以下、ＲＮＳと略称する。）を含む。ＲＮＳは、一つの無線ネットワーク制御器（ｒａｄｉｏ  ｎｅｔｗｏｒｋ  ｃｏｎｔｒｏｌｌｅｒ；以下、ＲＮＣと略称する。）及びＲＮＣによって管理される一つ以上の基地局（以下、Ｎｏｄｅ  Ｂと称する。）を含む。一つのＮｏｄｅ  Ｂには一つ以上のセルが存在する。
【０００４】
図２は、ＵＥとＵＴＲＡＮとの間の無線インターフェースプロトコルを示した構造図である。図２を参照すると、無線インターフェースプロトコルは、垂直的には物理階層、データリンク階層及びネットワーク階層を含み、水平的には、データ情報伝達のための使用者平面及びシグナリング伝達のための制御平面を含む。
【０００５】
図２のプロトコル階層は、関連技術分野で広く知られた開放型システム相互接続（ｏｐｅｎ  ｓｙｓｔｅｍ  ｉｎｔｅｒｃｏｎｎｅｃｔｉｏｎ；ＯＳＩ）規格の３個の下位階層、すなわち、第１階層Ｌ１、第２階層Ｌ２及び第３階層Ｌ３に分けられる。
【０００６】
物理階層（ｐｈｙｓｉｃａｌ  ｌａｙｅｒ；以下、ＰＨＹ階層という。）は、第１階層であり、物理チャネルを使用して上位階層に情報伝達サービスを提供する。ＰＨＹ階層は、伝送チャネルを通してＰＨＹ階層上に位置した媒体接近制御（ｍｅｄｉｕｍ  ａｃｃｅｓｓ  ｃｏｎｔｒｏｌ；以下、ＭＡＣと略称する。）階層に連結される。データは、前記伝送チャネルを通してＭＡＣ階層とＰＨＹ階層との間で伝達される。また、データは、他の物理階層の間で伝送され、より具体的には、伝送側の物理階層と受信側の物理階層との間で物理チャネルを通して伝達される。
【０００７】
第２階層のＭＡＣ階層は、論理チャネルを通してＭＡＣ階層上に位置した無線リンク制御（ｒａｄｉｏ  ｌｉｎｋ  ｃｏｎｔｒｏｌ；以下、ＲＬＣと略称する。）階層にサービスを提供する。ＲＬＣ階層は、信頼できるデータ伝達を支援し、上位階層から送られてきたＲＬＣサービスデータユニットの断片化（ｓｅｇｍｅｎｔａｔｉｏｎ）及び結合（ｃｏｎｃａｔｅｎａｔｉｏｎ）動作を遂行する。以下、サービスデータユニットをＳＤＵ（ｓｅｒｖｉｃｅ  ｄａｔａ  ｕｎｉｔ）と略称する。
【０００８】
ブロードキャスト／マルチキャスト制御（ｂｒｏａｄｃａｓｔ／ｍｕｌｔｉｃａｓｔ  ｃｏｎｔｒｏｌ；以下、ＢＭＣと略称する。）階層は、核心網に伝達されたセルブロードキャストメッセージ（ｃｅｌｌ  ｂｒｏａｄｃａｓｔ  ｍｅｓｓａｇｅ；以下、ＣＢメッセージという。）のスケジュールを管理し、特定のセル内に存在する各ＵＥにメッセージをブロードキャスティングすることを活性化する。ＵＴＲＡＮの観点で、ＣＢメッセージは上位階層から伝達され、メッセージＩＤ、シリアル番号及びコーディング技法などの情報が付加的に提供される。ＣＢメッセージは、ＢＭＣメッセージフォーマット内のＲＬＣ階層に伝達された後、共通トラフィックチャネル（ｃｏｍｍｏｎ  ｔｒａｆｆｉｃ  ｃｈａｎｎｅｌ；以下、ＣＴＣＨと略称する。）などの論理チャネルを通してＭＡＣ階層に伝達される。論理チャネルＣＴＣＨは、順方向接続チャネル（ｆｏｒｗａｒｄ  ａｃｃｅｓｓ  ｃｈａｎｎｅｌ；以下、ＦＡＣＨと略称する。）などの伝送チャネルにマッピングされ、第２共通制御物理チャネル（ｓｅｃｏｎｄａｒｙ  ｃｏｍｍｏｎ  ｃｏｎｔｒｏｌ  ｐｈｙｓｉｃａｌ  ｃｈａｎｎｅｌ；Ｓ―ＣＣＰＣＨ）などの物理チャネルにマッピングされる。
【０００９】
パケットデータ集中プロトコル（ｐａｃｋｅｔ  ｄａｔａ  ｃｏｎｖｅｒｇｅｎｃｅ  ｐｒｏｔｏｃｏｌ；以下、ＰＤＣＰと略称する。）階層は、ＲＬＣ階層上に位置し、ＩＰｖ４またはＩＰｖ６などのネットワークプロトコルを通して伝送される各データが相対的に小さい帯域幅を有する無線インターフェース上で効率的に伝送されるようにする。このために、ＰＤＣＰ階層は、有線ネットワークによって使用された不必要な制御情報を減少させることを活性化する。この機能は、ヘッダー圧縮と呼ばれ、インターネットエンジニアリングタスクフォース（Ｉｎｔｅｒｎｅｔ  Ｅｎｇｉｎｅｅｒｉｎｇ  Ｔａｓｋ  Ｆｏｒｃｅ；ＩＥＴＦ）によって定義されるＲＦＣ２５０７またはＲＦＣ３０９５（ｒｏｂｕｓｔ  ｈｅａｄｅｒ  ｃｏｍｐｒｅｓｓｉｏｎ；ＲＯＨＣ）などのヘッダー圧縮技法が使用される。このような技法では、データのヘッダー部分に必須的な情報のみが伝達される。その結果、より少量の制御情報を伝達することで、伝達されるデータ量を減少させる。
【００１０】
無線資源制御（ｒａｄｉｏ  ｒｅｓｏｕｒｃｅ  ｃｏｎｔｒｏｌ；以下、ＲＲＣと略称する。）階層は、第３階層の最も低い部分に位置する。ＲＲＣ階層は、制御平面上のみで定義され、無線ベアラ（ｒａｄｉｏ  ｂｅａｒｅｒ；以下、ＲＢと略称する。）の設定、再設定及び解除と関連しており、論理チャネル、伝送チャネル及び物理チャネルの制御を担当する。この場合、ＲＢは、ＵＥとＵＴＲＡＮとの間のデータ伝達のために第２階層に提供されるサービスである。具体的に、ＲＢは、ＵＥとＵＴＲＡＮとの間のデータ伝達のために、無線プロトコルの第１階層及び第２階層によって提供される論理的経路である。ＲＢの設定は、特定のサービスを提供するために必要なプロトコル階層及び各チャネルの特徴を調節するための過程で、それぞれ特定のパラメーター及び動作方法を設定する過程である。
【００１１】
ＲＲＣ階層は、ブロードキャスト制御チャネル（ｂｒｏａｄｃａｓｔ  ｃｏｎｔｒｏｌ  ｃｈａｎｎｅｌ；以下、ＢＣＣＨと略称する。）を通してシステム情報をブロードキャストする。一つのセルのためのシステム情報は、システム情報ブロック（ｓｙｓｔｅｍ  ｉｎｆｏｒｍａｔｉｏｎ  ｂｌｏｃｋ；ＳＩＢ）フォーマットを通してＵＥにブロードキャストされる。システム情報が変わる場合、ＵＴＲＡＮは、ＵＥが最も最新のシステム情報を受信するように、ＢＣＣＨ変更情報をページングチャネル（ｐａｇｉｎｇ  ｃｈａｎｎｅｌ；ＰＣＨ）またはＦＡＣＨを通してＵＥに伝送する。
【００１２】
無線移動通信システムでのアップリンクの高速及び容量増大に対する最近の要求によって、ＵＥがＮｏｄｅ  Ｂにデータを伝送するアップリンクでの高速パケット通信システムが活発に論議されている。強化されたアップリンク専用チャネル（ｅｎｈａｎｃｅｄ  ｕｐｌｉｎｋ  ｄｅｄｉｃａｔｅｄ  ｃｈａｎｎｅｌ；以下、Ｅ―ＤＣＨと略称する。）技術が、３ＧＰＰ  ＷＣＤＭＡ無線移動通信システム内で代表的に論議されている。Ｅ―ＤＣＨ技術では、Ｎｏｄｅ  Ｂによるアップリンクパケットスケジューリング、物理階層でのハイブリッド自動再送要求（ｈｙｂｒｉｄ  ａｕｔｏｍａｔｉｃ  ｒｅｐｅａｔ  ｒｅｑｕｅｓｔ；以下、ＨＡＲＱと略称する。）（ハイブリッドＡＲＱ）などの技法が、アップリンクの効率を増大させるために従来の３ＧＰＰ  ＷＣＤＭＡアップリンク専用チャネル（ｄｅｄｉｃａｔｅｄ  ｃｈａｎｎｅｌ；以下、ＤＣＨと略称する。）に紹介される。
【００１３】
図３は、ＤＣＨ及びＥ―ＤＣＨの構造的な例を示した図である。図３を参照すると、ＤＣＨ及びＥ―ＤＣＨは、一つのＵＥによって専用的に使用される伝送チャネルである。具体的に、Ｅ―ＤＣＨは、アップリンクでＵＴＲＡＮにデータを伝達するためにＵＥによって使用される。ＤＣＨと比較すると、Ｅ―ＤＣＨは、アップリンクデータをＤＣＨより速く伝達することができる。データを高速で伝達するために、Ｅ―ＤＣＨは、例えば、ＨＡＲＱ、適応変調及びコーディング（ａｄａｐｔｉｖｅ  ｍｏｄｕｌａｔｉｏｎ  ａｎｄ  ｃｏｄｉｎｇ；以下、ＡＭＣと略称する。）及びＮｏｄｅ  Ｂによって調節されるスケジューリングを適用する。
【００１４】
Ｅ―ＤＣＨのために、Ｎｏｄｅ  Ｂは、ＵＥのＥ―ＤＣＨ伝達を制御するためのダウンリンク制御情報をＵＥに伝達する。ダウンリンク制御情報は、例えば、ＨＡＲＱのための応答情報（ＡＣＫ／ＮＡＣＫ）、ＡＭＣのためのチャネル品質情報、Ｅ―ＤＣＨ伝送レート割り当て情報、Ｅ―ＤＣＨ伝送開始時点及び伝送時間間隔割り当て情報、及び伝送ブロックの大きさ情報を含む。一方、ＵＥは、Ｎｏｄｅ  Ｂにアップリンク制御情報を伝達する。アップリンク制御情報は、例えば、Ｎｏｄｅ  Ｂによって制御されるスケジューリングのためのＥ―ＤＣＨレート要請情報、ＵＥバッファ状態情報、及びＵＥ電力状態情報を含む。Ｅ―ＤＣＨのためのアップリンク及びダウンリンク制御情報は、強化された専用物理制御チャネル（ｅｎｈａｎｃｅｄ  ｄｅｄｉｃａｔｅｄ  ｐｈｙｓｉｃａｌ  ｃｏｎｔｒｏｌ  ｃｈａｎｎｅｌ；以下、Ｅ―ＤＰＣＣＨと略称する。）などの物理制御チャネルを通して伝達される。
【００１５】
ＭＡＣ―ｄフロー（ｆｌｏｗ）は、ＭＡＣ―ｄ副階層とＥ―ＤＣＨのためのＭＡＣ―ｅ副階層との間で定義される。ＭＡＣ―ｄフローは、伝送チャネルＥ―ＤＣＨにマッピングされ、Ｅ―ＤＣＨは、他の物理チャネルである強化された専用物理データチャネル  （ｅｎｈａｎｃｅｄ  ｄｅｄｉｃａｔｅｄ  ｐｈｙｓｉｃａｌ  ｄａｔａ  ｃｈａｎｎｅｌ；以下、Ｅ―ＤＰＤＣＨと略称する。）にマッピングされる。その反面、専用論理チャネルは、ＤＣＨに直接マッピングされることもある。この場合、伝送チャネルＤＣＨは、専用物理データチャネル（ｄｅｄｉｃａｔｅｄ  ｐｈｙｓｉｃａｌ  ｄａｔａ  ｃｈａｎｎｅｌ；以下、ＤＰＤＣＨと略称する。）にマッピングされる。図３のＭＡＣ―ｄ副階層は、特定のＵＥのための専用伝送チャネルとしてＤＣＨを管理し、ＭＡＣ―ｅ副階層は、アップリンクでの速いデータを伝達するために使用される伝送チャネルとしてＥ―ＤＣＨを管理する。
【００１６】
伝送側のＭＡＣ―ｄ副階層は、ＲＬＣ階層などの上位階層から伝達されたＭＡＣ―ｄサービスデータユニット（ｓｅｒｖｉｃｅ  ｄａｔａ  ｕｎｉｔ；以下、ＳＤＵと略称する。）からＭＡＣ―ｄプロトコルデータユニット（ｐｒｏｔｏｃｏｌ  ｄａｔａ  ｕｎｉｔ；以下、ＰＤＵと略称する。）を設定する。受信側のＭＡＣ―ｄ副階層は、下位階層から受信されたＭＡＣ―ｄ  ＰＤＵからのＭＡＣ―ｄ  ＳＤＵの回復を活性化し、その回復されたＭＡＣ―ｄ  ＳＤＵを上位階層に伝達する。そうすることにより、ＭＡＣ―ｄは、ＭＡＣ―ｄフローを通してＭＡＣ―ｅ副階層とＭＡＣ―ｄ  ＰＤＵを交換したり、または、ＤＣＨを通して物理階層とＭＡＣ―ｄ  ＰＤＵを交換する。受信側のＭＡＣ―ｄ副階層は、回復されたＭＡＣ―ｄ  ＳＤＵを上位階層に伝達する前に、ＭＡＣ―ｄ  ＰＤＵに付着されたＭＡＣ―ｄヘッダーを使用してＭＡＣ―ｄ  ＰＤＵを回復する。
【００１７】
伝送側のＭＡＣ―ｅ副階層は、ＭＡＣ―ｄ副階層などの上位階層から伝達されたＭＡＣ―ｄ  ＰＤＵに該当するＭＡＣ―ｅ  ＳＤＵからＭＡＣ―ｅ  ＰＤＵを設定する。受信側のＭＡＣ―ｅ副階層は、物理階層などの下位階層から受信されたＭＡＣ―ｅ  ＰＤＵからのＭＡＣ―ｅ  ＳＤＵの回復を活性化し、回復されたＭＡＣ―ｅ  ＳＤＵを上位階層に伝達する。そうすることにより、ＭＡＣ―ｅは、Ｅ―ＤＣＨを通して物理階層とＭＡＣ―ｅ  ＰＤＵを交換する。受信側のＭＡＣ―ｅ副階層は、回復されたＭＡＣ―ｅ  ＳＤＵを上位階層に伝達する前に、ＭＡＣ―ｅ  ＰＤＵに付着されたＭＡＣ―ｅヘッダーを使用してＭＡＣ―ｅ  ＳＤＵを回復する。
【００１８】
図４は、Ｅ―ＤＣＨのためのプロトコルを示した図である。図４を参照すると、Ｅ―ＤＣＨを支援するＭＡＣ―ｅ副階層は、ＵＴＲＡＮのＭＡＣ―ｄ副階層の下に存在する。また、Ｅ―ＤＣＨを支援するＭＡＣ―ｅ副階層は、ＵＥのＭＡＣ―ｅ副階層の下に存在する。  ＵＴＲＡＮのＭＡＣ―ｅ副階層はＮｏｄｅ  Ｂに位置し、ＭＡＣ―ｅ副階層は各ＵＥに存在する。その反面、ＵＴＲＡＮのＭＡＣ―ｄ副階層は、該当のＵＥの管理を担当するサービング無線ネットワーク制御器（ｓｅｒｖｉｎｇ  ｒａｄｉｏ  ｎｅｔｗｏｒｋ  ｃｏｎｔｒｏｌｌｅｒ；ＳＲＮＣ）に位置する。各ＵＥ内にはＭＡＣ―ｄ副階層が存在する。
【００１９】
Ｅ―ＤＣＨのための制御情報伝送は、次のように説明される。まず、スケジューラは、Ｅ―ＤＣＨのためのＮｏｄｅ  Ｂに存在する。スケジューラは、各セル内の全てのＵＥからのＮｏｄｅ  Ｂでのアップリンク伝達でデータの伝送効率を高めるために、一つのセル内に存在する各ＵＥへの最適な無線資源の割り当てを活性化する。具体的に、一つのセルにおいて、良好なチャネル状態を有するＵＥがより多くのデータを伝送できるように、より多くの無線資源がＵＥに割り当てられる。アップリンク無線チャネル上に干渉信号を伝送することを防止するために、良好でないチャネル状態を有するＵＥには、より少ない無線資源が割り当てられる。
【００２０】
該当のＵＥに無線資源を割り当てるとき、スケジューラは、ＵＥの無線チャネル状態のみを考慮するわけではない。また、スケジューラは、各ＵＥから制御情報を要求する。例えば、制御情報は、ＵＥがＥ―ＤＣＨのために使用可能な電力量、または、ＵＥが伝送を試みるデータの量を含む。換言すると、ＵＥがより良好なチャネル状態を有するとしても、ＵＥがＥ―ＤＣＨのために使用可能な余分の電力がないか、ＵＥがアップリンク方向に伝送するデータがない場合、無線資源がＵＥに割り当てられてはならない。すなわち、無線資源がＥ―ＤＣＨのための余分の電力及びアップリンク伝達で伝送されるデータを有するＵＥに割り当てられるときのみに、スケジューラは、一つのセル内で無線資源の使用効率を高めることができる。
【００２１】
したがって、ＵＥは、Ｎｏｄｅ  Ｂのスケジューラに制御情報を送るべきである。制御情報は、多様な方式で伝送される。例えば、Ｎｏｄｅ  Ｂのスケジューラは、アップリンクで伝送されるデータが特定の値を超えることを報告するようにＵＥに指示するか、Ｎｏｄｅ  Ｂ自身に制御情報を周期的に送るようにＵＥに指示することができる。
【００２２】
Ｎｏｄｅ  ＢのスケジューラからＵＥに無線資源が割り当てられる場合、ＵＥは、割り当てられた無線資源内のＭＡＣ―ｅ  ＰＤＵを設定した後、ＭＡＣ―ｅ  ＰＤＵをＥ―ＤＣＨを通してＮｏｄｅ  Ｂに伝送する。具体的に、伝送されるデータが存在すると、ＵＥは、ＵＥによって伝送されるデータがあることをＮｏｄｅ  Ｂに知らせるために、Ｎｏｄｅ  Ｂに制御情報を伝達する。その後、Ｎｏｄｅ  Ｂのスケジューラは、ＵＥによって送られた制御情報に基づいてＵＥに無線資源の割り当てがなされることを指示する情報を送る。この場合、前記無線資源の割り当てを指示する情報は、ＵＥがアップリンクで伝送可能な最大電力値、基準チャネルのための比率などを意味する。ＵＥは、無線資源の割り当てを指示する情報に基づいて許容された範囲内でＭＡＣ―ｅ  ＰＤＵを設定し、設定されたＭＡＣ―ｅ  ＰＤＵを伝送する。
【００２３】
上述したように、Ｎｏｄｅ  Ｂは、絶対許容（ａｂｓｏｌｕｔｅ  ｇｒａｎｔ；以下、ＡＧと略称する。）及び相対許容（ｒｅｌａｔｉｖｅ  ｇｒａｎｔ；以下、ＲＧと略称する。）の二つの方式で無線資源をＵＥに割り当てることができる。ＡＧは、ＵＥによって使用可能な無線資源の量の絶対値を指示する。ＲＧは、ＵＥによって過去に使用された無線資源の量からの変動を指示する。換言すると、ＵＥが最初に資源の割り当てを要請すると、Ｎｏｄｅ  Ｂは、ＡＧを使用してＵＥに無線資源を割り当てる。その後、ＵＥは、サービング許容（ｓｅｒｖｉｎｇ  ｇｒａｎｔ；以下、ＳＧと略称する。）をＡＧの値に設定し、その値の範囲内でアップリンクでデータを伝送する。その後、チャネル状態、ＵＥのバッファ状態、伝送されるデータの量などを考慮することで、ＵＥによって使用されたＳＧが不充分であると決定される場合、Ｎｏｄｅ  Ｂは、ＵＥが予め決定された量だけＳＧを高められることを指示するＲＧを送る。また、ＵＥによって使用されたＳＧが過剰であると決定される場合、Ｎｏｄｅ  Ｂは、ＵＥが予め決定された量だけＳＧを低下させるべきであることを指示するＲＧを送る。その後、ＵＥは、受信されたＲＧに基づいてＳＧを調整し、常にＳＧより小さい範囲内で無線資源を使用する。
【００２４】
Ｅ―ＤＣＨ伝送フォーマット組合せ指示子（Ｅ―ＤＣＨ  ｔｒａｎｓｐｏｒｔ  ｆｏｒｍａｔ  ｃｏｍｂｉｎａｔｉｏｎ  ｉｎｄｉｃａｔｏｒ；以下、Ｅ―ＴＦＣＩと略称する。）は、Ｅ―ＤＣＨを通して伝送されたＭＡＣ―ｅ  ＰＤＵに対する情報を指示する。具体的に、Ｅ―ＴＦＣＩは、どれだけ多くのデータが伝達されるかを指示する。伝送されたデータブロックに対する情報に関する決定において、伝送側が受信側と異なると、通信が正確に行われない。したがって、前記伝送側は、Ｅ―ＤＣＨを通してＭＡＣ―ｅ  ＰＤＵが伝送されるときごとに、ＭＡＣ―ｅ  ＰＤＵの大きさのような、Ｅ―ＤＰＤＣＨ上に伝達されるデータをデコーディングするために必要な情報を伝送する。図５に示すように、ＭＡＣ―ｅ  ＰＤＵは、物理的には物理チャネルＥ―ＤＰＤＣＨを通して伝送され、Ｅ―ＴＦＣＩは、Ｅ―ＤＰＣＣＨを通して伝送される。関連従来技術において、Ｅ―ＤＰＤＣＨを通して伝送されるＭＡＣ―ｅ  ＰＤＵは、前記制御情報のみならず、伝送されるデータを含むことができる。
【００２５】
Ｅ―ＤＰＤＣＨ上に伝達されるデータをデコーディングするために必須的な情報を含むＥ―ＤＰＣＣＨは、Ｅ―ＤＰＤＣＨよりエラーに遥かに強い。そのため、Ｅ―ＤＰＤＣＨ上に伝達されるビット数は、より小さい量に設定される。現在、Ｅ―ＴＦＣＩに使用されるビット数は７である。したがって、Ｅ―ＤＣＨを通して伝達される互いに異なるＭＡＣ―ｅ  ＰＤＵの大きさは、１２８（２７＝１２８）であることが分かる。
【００２６】
ＨＡＲＱ技法は、受信側に成功的に到達する伝送されたデータの確率を高め、該当の到達に必要な電力を減少させるために使用される。したがって、ＨＡＲＱ下では、伝送成功確率を高め、必要な電力を減少させることは、受信側から伝送側に送られたフィードバック情報に依存する。フィードバック情報は、伝送側によって伝送されたデータが受信側にエラーなしに到達するかどうかを通知することが好ましい。
【００２７】
例えば、受信側が物理チャネルを通してＵＥなどの伝送側によって伝送されたパケット１をエラーなしに受信すると、受信側は、受信成功信号または確認（ａｃｋｎｏｗｌｅｄｇｅｍｅｎｔ；以下、ＡＣＫと略称する。）を伝送する。受信側がパケット１を正確に受信することに失敗すると、受信側は、否定の確認（ｎｅｇａｔｉｖｅ  ａｃｋｎｏｗｌｅｄｇｅｍｅｎｔ；以下、ＮＡＣＫと略称する。）を伝送する。その後、伝送側によって伝送されたフィードバックに関して、フィードバックがＡＣＫである場合、伝送側は、パケット２のような新しいデータを伝送する。そして、前記フィードバックがＮＡＣＫである場合、伝送側は、パケット１を再び伝送する。そうすることにより、前記伝送側は、以前のパケット１（１番目に伝送された）及び以後のパケット１（２番目に伝送された）を全て使用して伝送を試みる。これが成功した場合、受信側は、伝送側にＡＣＫを伝送する。また、これが失敗した場合、受信側は、伝送側にＮＡＣＫを伝送する。ＮＡＣＫが前記伝送側によって受信されるとき、前記伝送側は、上記の過程を繰り返す。この場合、その再伝送されたパケット１は、以前のパケット１と同一でなければならない。そうでない場合、受信側は、データを正しく回復することが不可能である。
【００２８】
しかしながら、ＵＥがチャネル状態の良好でない領域に継続的に留まっているか、ＵＥによって伝送されるデータが伝達遅延に敏感である場合、ＵＥは、上述した再伝送を無制限に遂行することが不可能である。そのため、前記受信側は、利用可能な最大の伝送回数及び再伝送回数をＵＥに知らせる。最大の再伝送回数だけデータを伝送することを試みた後、前記受信側からＮＡＣＫを受信する場合、ＵＥは、該当のデータの伝送試みを中止し、次のデータの伝送を試みる。
【００２９】
関連技術において、ＵＥは、ＭＡＣ―ｅ  ＰＤＵ内にバッファ容量、Ｅ―ＤＣＨのために使用可能な電力量などの制御情報を含み、そのＭＡＣ―ｅ  ＰＤＵを伝送する。しかし、ＨＡＲＱ伝送技法は、ＭＡＣ―ｅ  ＰＤＵを伝送するために使用される。換言すると、ＭＡＣ―ｅ  ＰＤＵは、単一伝送によってはほとんど伝達されない。その代わりに、受信側がＭＡＣ―ｅ  ＰＤＵをエラーなしに受信するときまで多数の再伝送が必要である。このように、それぞれの再伝送に該当する伝達遅延が発生する。したがって、アップリンクでＵＥによって使用可能な電力量及びバッファ容量などの情報が頻繁に変わるので、伝達遅延の発生は、使用者によって感じられるサービスの品質を低下させる。
【００３０】
使用者がウェブページ検索などのサービスを使用するとき、アップリンクで伝送されるデータの量は非常に小さい。ほとんどの場合、アップリンクデータは、一つのパケットのみを含む。それにもかかわらず、関連従来技術の方法によって、ＵＥは、ＭＡＣ―ｅ  ＰＤＵ内にアップリンクで伝送されるデータの出現を指示するための制御情報を含み、そのＭＡＣ―ｅ  ＰＤＵを伝送する。その後、Ｎｏｄｅ  Ｂは、無線資源の割り当てを指示する情報を伝送する。その後、ＵＥは、アップリンクで該当のデータを伝送する。
【００３１】
しかしながら、関連従来技術の方法には、次のような問題がある。第一に、ＵＥとＮｏｄｅ  Ｂとの間で制御情報を交換するときに相当の時間がかかる。第二に、制御情報を送るためにＭＡＣ―ｅ  ＰＤＵを使用するとき、ＭＡＣ―ｅ  ＰＤＵは、Ｅ―ＤＰＤＣＨを通して伝送される。上述したように、Ｅ―ＴＦＣＩは、Ｅ―ＤＰＣＣＨがエラーに強いので、Ｅ―ＤＰＣＣＨを通して前記制御情報を含むＭＡＣ―ｅ  ＰＤＵを伝送するために使用されるべきである。すなわち、Ｅ―ＤＰＤＣＨ及びＥ―ＤＰＣＣＨが一つの制御情報の伝送のために使用されることで、相当の電力が浪費される。
【発明の開示】
【発明が解決しようとする課題】
【００３２】
本発明は、移動通信システムで制御情報を通信することを指向する。
【００３３】
本発明の付加的な特徴及び長所は、次の説明を通して展開されるもので、部分的に上記の説明から明白になるか、または、本発明の練習を通して習得されるだろう。本発明の目的及び他の長所は、この文書に添付された図面のみならず、記述された説明及び特許請求の範囲で具体的に指摘された構造によって実現・獲得されうる。
【課題を解決するための手段】
【００３４】
本発明の目的による上記のような長所及び他の長所を達成するために、幅広く説明されて具現されたように、本発明は、移動通信システムで制御情報を通信するための方法内で具現され、前記方法は、第１物理チャネル上に制御情報を含むデータブロックを伝送する段階と、前記第１物理チャネル上の前記制御情報の前記伝送を指示するための特定の値を有する指示子を第２物理チャネル上に伝送する段階とを含む。
【００３５】
好ましくは、前記指示子は、前記第１物理チャネル上に伝送される前記データブロックと関連することを特徴とし、前記指示子は、前記第１物理チャネル上の前記データブロックの大きさを指示することを特徴とする。好ましくは、前記指示子は、Ｅ―ＴＦＣＩで、前記特定の値は、０と同じＥ―ＴＦＣＩインデックスを含む。
【００３６】
好ましくは、前記第１物理チャネルは、Ｅ―ＤＰＤＣＨで、前記第２物理チャネルは、  Ｅ―ＤＰＣＣＨである。好ましくは、前記データブロックは、ＭＡＣ―ｅ  ＰＤＵである。
【００３７】
好ましくは、前記制御情報は、スケジューリング情報を含み、前記スケジューリング情報は、最優先論理チャネル識別子、総Ｅ―ＤＣＨバッファ状態、最優先論理チャネルバッファ状態、及び移動端末電力ヘッドルームのうち一つ以上を含む。
【００３８】
好ましくは、前記データブロックは、前記制御情報のみを含む。
【００３９】
本発明の他の実施例によると、移動通信システムで制御情報を通信するための移動端末は、伝送される制御情報を処理し、データブロックを生成するための処理器と、第１物理チャネル上に前記制御情報を含む前記データブロックを伝送するための前記処理器によって制御される伝送機とを含み、前記伝送機は、前記第１物理チャネル上の前記制御情報の前記伝送を指示するための第２物理チャネル上に特定の値を有する指示子を伝送する。
【００４０】
好ましくは、前記指示子は、前記第１物理チャネル上で伝送される前記データブロックと関連し、前記指示子は、前記第１物理チャネル上の前記データブロックの大きさを指示する。好ましくは、前記指示子は、Ｅ―ＴＦＣＩで、前記特定の値は、０と同じＥ―ＴＦＣＩインデックスを含む。
【００４１】
好ましくは、前記第１物理チャネルは、Ｅ―ＤＰＤＣＨで、前記第２物理チャネルは、  Ｅ―ＤＰＣＣＨである。好ましくは、前記データブロックは、ＭＡＣ―ｅ  ＰＤＵである。
【００４２】
好ましくは、前記制御情報は、スケジューリング情報を含み、前記スケジューリング情報は、最優先論理チャネル識別子、総Ｅ―ＤＣＨバッファ状態、最優先論理チャネルバッファ状態、及び移動端末電力ヘッドルームのうち一つ以上を含む。
【００４３】
好ましくは、前記データブロックは、前記制御情報のみを含む。
【００４４】
本発明の他の実施例によると、移動通信システムで制御情報を通信する方法において、特定のイベントが発生したかどうかを決定する段階と、前記特定のイベントが発生していないと決定された場合、物理チャネル上に伝送されたデータブロックの大きさを指示する指示子を伝送する段階と、前記特定のイベントが発生したと決定される場合、前記特定のイベントを指示するための特定の値を有する前記指示子を伝送する段階とを含む。
【００４５】
本発明の一様相において、前記特定のイベントは、前記データブロックが制御情報のみを含むときに発生する。本発明の他の様相において、前記特定のイベントは、伝送されるデータが上位階層から受信され、前記データの前記伝送のための資源が利用不可能であるときに発生する。
【００４６】
好ましくは、前記指示子は、前記データブロックが伝送される前記物理チャネルとは異なる物理チャネル上に伝送され、前記指示子は、Ｅ―ＤＰＣＣＨを通して伝送される。
【００４７】
好ましくは、前記指示子は、Ｅ―ＴＦＣＩで、前記特定の値は、０と同じＥ―ＴＦＣＩインデックスを含む。
【００４８】
好ましくは、前記データブロックは、Ｅ―ＤＰＤＣＨ上に伝送される。好ましくは、前記データブロックはＭＡＣ―ｅ  ＰＤＵである。
【００４９】
好ましくは、前記制御情報は、スケジューリング情報を含み、前記スケジューリング情報は、最優先論理チャネル識別子、総Ｅ―ＤＣＨバッファ状態、最優先論理チャネルバッファ状態、及び移動端末電力ヘッドルームのうち一つ以上を含む。
【００５０】
本発明の他の実施例によると、移動通信システムで制御情報を通信するための移動端末は、特定のイベントが発生したかどうかを決定し、データブロックを生成するための処理器と、前記特定のイベントが発生していないと決定される場合、物理チャネル上に伝送される前記データブロックの大きさを指示するための指示子を伝送するための前記処理器によって制御される伝送機とを含み、前記伝送機は、前記特定のイベントが発生したと決定される場合、前記特定のイベントを指示するための特定の値と一緒に前記指示子を伝送する。
【００５１】
本発明の一様相において、前記特定のイベントは、前記データブロックが制御情報のみを含むときに発生する。本発明の他の様相において、前記特定のイベントは、伝送されるデータを前記処理器が上位階層から受信し、前記データの前記伝送のための資源が利用不可能であるときに発生する。
【００５２】
好ましくは、前記指示子は、前記データブロックが伝送される前記物理チャネルとは異なる物理チャネル上に伝送され、前記指示子は、Ｅ―ＤＰＣＣＨを通して伝送される。
【００５３】
好ましくは、前記指示子は、Ｅ―ＴＦＣＩで、前記特定の値は、０と同じＥ―ＴＦＣＩインデックスを含む。
【００５４】
好ましくは、前記データブロックは、Ｅ―ＤＰＤＣＨ上に伝送される。好ましくは、前記データブロックはＭＡＣ―ｅ  ＰＤＵである。
【００５５】
好ましくは、前記制御情報は、スケジューリング情報を含み、前記スケジューリング情報は、最優先論理チャネル識別子、総Ｅ―ＤＣＨバッファ状態、最優先論理チャネルバッファ状態、及び移動端末電力ヘッドルームのうち一つ以上を含む。
【００５６】
上述した本発明に対する一般的な説明及び以下の詳細な説明は、全て例示的及び説明的なものであり、以下、請求されたような本発明に対する追加的な説明が提供される。
【００５７】
本発明は、より少ない電力でより速くネットワークにアップリンクチャネルスケジューリングのための制御情報を通信することができる。
【００５８】
上述した実施例及び長所は、例示的なものに過ぎなく、本発明を制限するものとして解析されてはならない。本発明は、他のタイプの装置に容易に適用される。本発明の説明は、解説のためのもので、特許請求の範囲を制限するものではない。多くの代替、修正及び変動は、本発明の当業者にとって明白である。特許請求の範囲において、機能式請求項（ｍｅａｎｓ―ｐｌｕｓ―ｆｕｎｃｔｉｏｎ）条項（ｃｌａｕｓｅ）は、引用された機能を遂行するために説明された構造及び構造的な均等物のみならず、均等的な構造のような構造を取り扱う。
【発明を実施するための最良の形態】
【００５９】
本発明は、移動通信システムで制御情報を通信することに関するもので、アップリンクチャネルをスケジューリングするための移動端末の制御情報は、より少ない電力を有してより速くネットワークに通知される。
【００６０】
以下、添付された図面に示した例題である本発明の好適な実施例を説明する。ここで、同一の参照番号は、図面の全般にかけて同一部分または対応部分を示すために使用される。
【００６１】
本発明は、アップリンクチャネルスケジューリングのための制御情報を通信するための方法、及びアップリンクチャネルをスケジューリングするための方法を提供する。したがって、アップリンクチャネルをスケジューリングするためのＵＥ制御情報は、より少ない電力を有してより速くネットワーク側に通知される。
【００６２】
本発明の一実施例によると、ＵＥからネットワークに伝送される制御情報と関連した特定の状況は、特定の状況を識別可能な指示子と対応するように作られる。また、前記特定の状況に対応する指示子は、それぞれの状況が発生するときごとにアップリンク制御チャネルを通してそれぞれ伝送される。
【００６３】
本発明の一様相では、アップリンクチャネルをスケジューリングするためのＵＥ制御情報は、より少ない電力を有してより速くネットワークに通知される。これは、ＵＥの物理制御チャネルを使用して達成されることが好ましい。
【００６４】
本発明の他の様相では、ＵＥがネットワーク側に送るべき制御情報が存在する場合、物理制御チャネルの特定の領域が好ましく使用される。具体的に、ＵＥがネットワーク側に送るべき制御情報が存在すると、物理制御チャネルの特定領域の特定の値が好ましく使用される。
【００６５】
本発明の更に他の様相では、アップリンクチャネルをスケジューリングするための制御情報と関連した特定の状況が発生する場合、ＵＥに物理制御チャネルの特定の領域を使用して特定の状況が発生したことが知られる。特定の状況が発生する場合、ＵＥは、物理制御チャネルの特定領域の特定の値を使用することが好ましい。
【００６６】
前記物理制御チャネルは、Ｅ―ＤＰＣＣＨで、前記物理制御チャネルの特定の領域は、Ｅ―ＴＦＣＩが割り当てられる領域である。前記制御情報は、スケジューリング情報を含むことが好ましい。前記スケジューリング情報は、例えば、ＵＥのバッファ容量、アップリンクでＵＥによって使用可能な電力量（移動端末電力ヘッドルーム）、総Ｅ―ＤＣＨバッファ状態、最優先論理チャネル識別子、及び最優先論理チャネルバッファ状態を含むことが好ましい。
【００６７】
前記特定の状況は、ＵＥが自身の有する全てのデータを伝送したとき、ＵＥのバッファが空いた状況である。前記特定の状況は、例えば、ＵＥに割り当てられた無線資源の存在にもかかわらず、伝送されるデータがこれ以上ない場合、新しいＭＡＣ―ｅ  ＰＤＵを設定するためのデータがこれ以上ない場合、及びＵＥに割り当てられた無線資源によって許容されたＭＡＣ―ｅ  ＰＤＵの最大大きさがバッファ内にデータで充填された後、ＭＡＣ―ｅ  ＰＤＵ内に余分の空間が残っている場合などを含む。
【００６８】
前記特定の状況は、ＵＥによってアップリンクチャネルを通して伝送されるデータが大きさ面で非常に小さいか、単一パケットを有して設定される状況であることが好ましい。前記現在の特定の状況は、アップリンクで伝送されるデータの存在にもかかわらず、ＵＥによって使用可能な割り当てられた無線資源がなく、前記データが大きさ面で非常に小さいか、単一パケットに該当する場合であることが好ましい。
【００６９】
前記特定の状況は、ＵＥによってアップリンクチャネルを通して伝送されるデータの量が予め設定された値より小さい状況であることが好ましい。前記特定の状況は、ＵＥが使用可能な無線資源の非存在にもかかわらず、アップリンクでＵＥによって伝送されるデータがあり、そのデータの大きさが前記予め設定された値より小さい状況であることが好ましい。
【００７０】
ＵＥで特定の状況が発生し、ネットワーク側に前記特定の状況発生を通知する必要がある場合、前記ＵＥは、例えば、Ｅ―ＴＦＣＩ＝０のようなＥ―ＴＦＣＩの特定の値を使用する。本発明の一実施例によると、全ての利用可能なＥ―ＴＦＣＩ値がＭＡＣ―ｅ  ＰＤＵの大きさを指示するために使用されるわけではない。図６に示すように、一つ以上の値がＵＥ内で特定の状況発生を指示するために使用されることが好ましい。
【００７１】
図６に示すように、本発明の一実施例によると、Ｅ―ＤＰＤＣＨを通してＭＡＣ―ｅ  ＰＤＵを使用して使用者データを伝送するとき、ＵＥは、そのＭＡＣ―ｅ  ＰＤＵの大きさを指示するためのＥ―ＴＦＣＩを使用する。ＭＡＣ―ｅ  ＰＤＵが使用者データを伝送するために使用されないとき、そして、特定の状況がＵＥで発生すると、一つ以上の特定のＥ―ＴＦＣＩ値が特定の状況発生をＮｏｄｅ  Ｂに知らせるために使用される。例えば、７ビットのＥ―ＴＦＣＩがスロット当たり１０ビットの制御データを伝送可能なアップリンク制御チャネルを通して伝送されると、２７（＝１２８）Ｅ―ＴＦＣＩ組合せが可能である。したがって、ＭＡＣ―ｅ  ＰＤＵの大きさを指示するために全ての１２８個の値にそれぞれＥ―ＴＦＣＩを割り当てる代わりに、アップリンクチャネルスケジューリングのためにＵＥの制御情報と関連した特定の状況を指示するための指示子として一つ以上の値が使用される。
【００７２】
本発明の一実施例によると、ＵＥからＮｏｄｅ  Ｂに伝送されるデータが大きさ面で小さいとき、Ｅ―ＤＰＤＣＨ上に伝送されるＭＡＣ―ｅ  ＰＤＵ内の制御情報の存在を指示するためにＥ―ＴＦＣＩの特定の値がＥ―ＤＰＣＣＨ上に伝送され、前記制御情報は、伝送されるデータのための資源割り当てを要請する。図７に示すように、Ｅ―ＴＦＣＩ＝０がＥ―ＤＰＣＣＨを通して物理的に伝送されるとき、前記制御情報を含むＭＡＣ―ｅ  ＰＤＵは、Ｅ―ＤＰＤＣＨを通して物理的に伝送されることが好ましい。本発明の一様相において、Ｅ―ＤＰＤＣＨを通して物理的に伝送されるＭＡＣ―ｅ  ＰＤＵは、制御情報のみを含んでいる。
【００７３】
Ｅ―ＴＦＣＩ＝０のような特定の値を有するＥ―ＴＦＣＩの同一のフォーマットを有する指示子を受信する場合、システムは、Ｅ―ＤＰＤＣＨをデコーディングしない。むしろ、システムは、ＵＥ内で発生する特定の状況を得てから次の動作を遂行する。
【００７４】
本発明の一実施例によると、伝送される単一のパケットがあることをＵＥがシステムに通知すると、システムは、ＡＧよりＲＧを使用する。ＵＥに割り当てられた無線資源がないにもかかわらず、ＲＧを受信するとき、ＵＥは、単一パケットの伝送が許容されると確信し、その単一パケットを伝送する。ＵＥは、予め決定された値を有する無線資源が前記パケット伝送過程で自身に割り当てられたと決定する。前記伝送を完了した後、ＵＥは、自身に無線資源が割り当てられていないと決定する。
【００７５】
本発明の更に他の実施例では、ネットワーク側に上記の過程内で伝送される単一パケットがあることをＵＥが知らせるとき、前記ネットワーク側は、前記ＡＧを使用してＵＥに無線資源を割り当てることができる。ＵＥは、単一パケットのみが伝送される間に、その無線資源の割り当てが有効であると決定する。すなわち、ＵＥは、単一パケットのみを伝送するために、その割り当てられた無線資源を使用する。そうすることにより、前記パケット伝送のために使用されない過程は、資源の割り当てがなされていないと認識する。前記伝送を完了した後、ＵＥは、無線資源が自身に割り当てられていないと決定する。
【００７６】
本発明の一様相において、上記の過程は、３ＧＰＰランダムアクセスチャネル（ｒａｎｄｏｍ  ａｃｃｅｓｓ  ｃｈａｎｎｅｌ；ＲＡＣＨ）のタイプとして考慮される。伝送されるデータが存在するとき、ＵＥは、特定のＥ―ＴＦＣＩ値を使用してＮｏｄｅ  Ｂに伝送されるデータの存在を通知することが好ましい。したがって、Ｎｏｄｅ  Ｂは、ＵＥがＡＧ及びＲＧを通して無線資源を使用することを許容する。その後、ＵＥは、無線資源を使用してネットワークにデータを伝送する。
【００７７】
本発明の他の様相では、上述したようなＥ―ＴＦＣＩの同一のフォーマットを有する指示子を使用する代わりに、ＵＥの状況が充分にＮｏｄｅ  Ｂに指示される必要があるとき、予め設定された指示子が使用される。必要であれば、付加的な指示子がより速い制御情報伝送のために割り当てられることが好ましい。例えば、特定の指示子は、各ＵＥ状況のために割り当てられる。特定の状況がＵＥ内で発生するとき、ＵＥは、Ｅ―ＤＰＣＣＨを通して特定の状況に該当する指示子を伝送することが好ましい。
【００７８】
本発明の更に他の様相では、上記の過程で、前記指示子が無線領域で損失される。したがって、ＵＥが前記指示子を伝送した後、ネットワークから応答がないと、ＵＥは、前記指示子を再び伝送する。ＵＥがＵＥ内での特定の状況発生によって予め定義された指示子を伝送すると、ＵＥは、ネットワークによって設定された回数だけの予め決定された時間間隔の間、その指示子を継続的に伝送する。したがって、ネットワークが前記指示子を成功的に受信する確率が上昇する。上述した説明において、ネットワークの前記応答は、無線資源がＵＥに割り当てられるか、割り当てられた無線資源が完全に除去されることを指示する。
【００７９】
上述したように、Ｅ―ＴＦＣＩは、ＭＡＣ―ｅ  ＰＤＵの大きさを指示することを活性化する。そして、より多くのＥ―ＴＦＣＩがＵＥ内で発生する特定の状況を指示するために使用されると、より少ない数のＥ―ＴＦＣＩがＭＡＣ―ｅ  ＰＤＵの大きさを指示するために使用される。これを向上させるために、本発明の一実施例によって、ネットワークは、ＵＥの状況をネットワークに知らせるために、制御情報を伝送するためのＥ―ＴＦＣＩを指定し、ＭＡＣ―ｅ  ＰＤＵの大きさを指定するために、全ての未指定のＥ―ＴＦＣＩを割り当てる。ＵＥは、ＭＡＣ―ｅ  ＰＤＵの大きさを指定するために、前記割り当てられたＥ―ＴＦＣＩを除いた全てのＥ―ＴＦＣＩを使用することが好ましい。
【００８０】
本発明は、移動通信システムを説明するもので、無線通信機能を備えたＰＤＡまたはノートブックコンピュータのための無線通信システムに適用可能である。本発明で描写された技術は、無線通信システムの範囲が制限されない。そして、本発明は、ＴＤＭＡ、ＣＤＭＡ、ＦＤＭＡなどの他の無線インターフェース及び物理階層を使用する無線通信システムに適用可能である。
【００８１】
本発明の内容は、ソフトウェア、ファームウェア、ハードウェアまたはそれらの組合せで具現される。具体的に、本発明の内容は、ハードウェア内でコード、回路チップ、ＡＳＩＣなどのハードウェアロジックを使用して具現されるか、ハードディスク、フロッピー（登録商標）ディスク及びテープなどのコンピュータ可読の保存媒体内のコード、コンピュータプログラミング言語を使用する光保存体、ＲＯＭ及びＲＡＭによって具現される。
【００８２】
コンピュータ可読の媒体内に保存されたコードは、処理器によって接近・実行可能である。本発明の内容を具現するためのコードは、伝送媒体またはネットワーク上のファイルサーバーを通して接近可能である。この場合、コード具現装置は、ネットワーク伝送ライン、無線伝送媒体、シグナリング、ＩＲシグナリングなどの無線伝送媒体を含む。
【００８３】
図８は、本発明の各機能を遂行する移動端末などの無線通信装置１００を示したブロック図である。
【００８４】
図８を参照すると、無線通信装置１００は、マイクロプロセッサー及びデジタルプロセッサーなどの処理ユニットモジュール１１０、ＲＦモジュール１３５、電力制御モジュール１０５、アンテナ１４０、バッテリー１５５、ディスプレイモジュール１１５、キーパッド１２０、ＲＯＭ、ＳＲＡＭ及びフラッシュメモリなどの保存モジュール１３０、スピーカー１４５及びマイクロホン１５０を含む。
【００８５】
使用者は、ボタンを押すか、マイクロホン１４５を使用して音声を活性化させる方式によって電話番号などの命令情報を入力する。処理ユニットモジュール１１０は、使用者によって要請された機能を遂行するために前記命令情報を受信して処理する。前記処理ユニットモジュール１１０は、前記機能を遂行するために必要なデータのために保存モジュール１３０を検索した後、そのデータを使用する。そして、処理ユニットモジュール１１０は、使用者の命令情報及び保存モジュール１３０から検索されたデータが、使用者の便宜のためにディスプレイモジュール１１５上にディスプレイされるようにする。
【００８６】
処理ユニットモジュール１１０は、音声通信データを含む無線信号を伝送するためにＲＦモジュール１３５に情報を伝達する。ＲＦモジュール１３５は、無線信号を伝送及び受信するために伝送機及び受信機を含む。無線信号は、アンテナ１４０を通して最終的に伝送または受信される。無線信号を受信すると、ＲＦモジュール１３５は、前記処理ユニットモジュール１１０が前記無線信号を処理するように、無線信号を基底帯域周波数に転換する。前記転換された信号は、スピーカー１４５を通して伝達されるか、読み取り可能な情報として伝達される。
【００８７】
無線モジュール１３５は、ネットワークからデータを受信するために使用されるか、無線通信装置によって測定または生成された情報をネットワークに伝送するために使用される。保存モジュール１３０は、無線通信装置によって測定または生成された情報を保存するために使用される。そして、処理ユニットモジュール１１０は、データを受信し、その受信されたデータを処理し、その処理されたデータを伝送するために、無線通信装置のために適切に使用される。
【００８８】
処理ユニットモジュール１１０は、伝送される制御情報を処理し、データブロックを生成するように調節されることが好ましい。ＲＦモジュール１３５の伝送機は、第１物理チャネル上のデータブロックを伝送するために処理ユニットモジュール１１０によって制御され、前記データブロックは、前記制御情報を含む。また、伝送機は、前記第１物理チャネル上の前記制御情報の前記伝送を指示するための第２物理チャネル上の特定の値を有する指示子を伝送するように調節される。
【００８９】
処理ユニットモジュール１１０は、特定のイベントが発生したかどうかを決定し、データブロックを生成するように調節されることが好ましい。ＲＦモジュール１３５の伝送機は、前記特定のイベントが発生していないと決定される場合、物理チャネル上に伝送されるデータブロックの大きさを指示するための指示子を伝送するために、処理ユニットモジュール１１０によって制御される。また、伝送機は、前記特定のイベントが発生したと決定される場合、前記特定のイベントを指示するために、特定の値と一緒に前記指示子を伝送する。
【図面の簡単な説明】
【００９０】
【図１】ＵＭＴＳのネットワーク構造を示した図である。
【図２】ＵＭＴＳによって使用される無線インターフェースプロトコルを示した構造図である。
【図３】ＤＣＨ及びＥ―ＤＣＨの構造的な例を示した図である。
【図４】Ｅ―ＤＣＨのプロトコルを示した図である。
【図５】従来技術に係るＥ―ＤＰＤＣＨを通してデータブロックを伝送し、Ｅ―ＤＰＣＣＨを通してＥ―ＴＦＣＩを伝送することを示した図である。
【図６】本発明の一実施例に係る、受信側に伝送側で発生する特定の状況を知らせるための一つ以上の特定のＥ―ＴＦＣＩ値を使用することを示した図である。
【図７】本発明の一実施例に係る、Ｅ―ＤＰＤＣＨを通してデータブロックを伝送し、Ｅ―ＤＰＣＣＨを通してＥ―ＴＦＣＩの特定の値を伝送することを示した図である。
【図８】本発明の一実施例に係る無線通信装置を示したブロック図である。
【符号の説明】
【００９１】
１００  無線通信装置
１０５  電力制御モジュール
１１０  処理ユニットモジュール
１１５  ディスプレイモジュール
１２０  キーパッド
１３０  保存モジュール
１３５  ＲＦモジュール
１４０  アンテナ
１４５  スピーカー
１５０  マイクロホン
１５５  バッテリー
【図１】
2008541547.tif 000003
【図２】
2008541547.tif 000004
【図３】
2008541547.tif 000005
【図４】
2008541547.tif 000006
【図５】
2008541547.tif 000007
【図６】
2008541547.tif 000008
【図７】
2008541547.tif 000009
【図８】
2008541547.tif 000010
【国際調査報告】
2008541547.tif 000011
2008541547.tif 000012
2008541547.tif 000013
2008541547.tif 000014